Podtech/llm-jp-corpus-v4-ja_patent huggingface dataset:
(57)【要約】      （修正有）【課題】墓前において、線香に火をつける際に、それを容易にかつ素早くできる様にすることができる墓参用線香の提供。【解決手段】複数本の線香３を一定間隔４で配置し、これらの一端部を紙などの可燃性のシートで一体に挟持して成る線香と、これらの一端部を前記線香と同じ材料で一体成型して成る墓参用線香。【選択図】図１
0003129557.tif 000002
【実用新案登録請求の範囲】
【請求項１】
複数本の線香を一定の間隔で配置し、これらの一端部を紙などの可燃性のシートで一体に挟持して成る墓参用線香。
【請求項２】
複数本の線香を一定の間隔で配置し、これらの一端部を前記線香と同じ材料で一体成型して成る墓参用線香。
【考案の詳細な説明】
【技術分野】
【０００１】  本考案は、墓参用線香に関するものである。
【背景技術】
【０００２】  従来の墓参用線香は、複数本の線香を束ねているものが一般的である。この為に火つきが悪く、横に倒した状態で置くと消えてしまう事が多い。
【考案の開示】
【考案が解決しようとする課題】
【０００３】  本考案は、上記問題点を解決することを課題とする。
【課題を解決するための手段】
【０００４】  複数本の線香を一定の間隔で配置し、これらの一端部を紙などの可燃性のシートで一体に挟持した。線香間を明ける事は、個々の線香を炎で十分包み易くして素早く燃え上がらせる。
【考案の効果】
【０００５】  上述の如くであるから、今迄の墓参用線香よりも容易にかつ素早く火をつけることができる。
【考案を実施するための最良の形態】
【０００６】  図１・２は、第１実施例で、複数の線香３を一定の間隔４で配置し、これらの一端部の上下に糊をつけた貼り付けシート１と貼り付けシート２で挟持して糊付けして一体化した。【０００７】  図３・４は、第２実施例で、図１のシート部分をクリップ６にかえて一体化した。【０００８】  図５は、第３実施例で、貼り付けシート６と張り付けシート７と張り付けシート８とで線香３を千鳥に二段重ねにして、挟持し糊付けして一体化した。【０００９】  図６・７は、第４実施例で、線香３の一端部をスペーサー９を介して糊付けして一体化した。【００１０】  図８・９は、第５実施例で、線香３の一端部を間隔４を設けて編み紐１０で繋ぎ一体化した。【００１１】  図１０・１１は、第６実施例で、線香３を間隔４を設けて円筒状に配列して外側貼り付けシート１１と内側貼り付けシート１２とで内外から挟持して糊付けし一体化した。【００１２】  図１２・１３は、第７実施例で、線香３を外側貼り付け長尺シート１３と内側貼り付け長尺シート１４とで挟持し糊付けして一体化した。【００１３】  図１４は、第８実施例で、一枚の長方形の線香板をスリット１６を設けて打ち抜いて成形したののである。【００１４】  墓参用線香は、適宜な量の線香を使用する事で無駄を省く事ができる。【００１５】  墓参用線香は、煙による空気汚染の公害問題の解消又省エネにも貢献できる。【００１６】  線香の束の解包の煩わしさは、墓参用線香に限って、セット詰めとして仮定した場合、当初のみであり、一般の線香の束との比較では大きな開きが生ずる。【００１７】  本考案は実施形態に限定されるものではなく、基本の形状及び材質、構成手段等、適宜設計変更できるものである。
【図面の簡単な説明】
【００１８】
【図１】第１実施例の平面図
【図２】第１実施例の左側面図
【図３】第２実施例の側面図
【図４】第２実施例の左側面図
【図５】第３実施例の左側面図
【図６】第４実施例の平面図
【図７】第４実施例の左側面図
【図８】第５実施例の平面図
【図９】第５実施例の左側面図
【図１０】第６実施例の平面図
【図１１】第６実施例の左側面図
【図１２】第７実施例の平面図
【図１３】第７実施例の左側面図
【図１４】第８実施例の平面図
【符号の説明】
【００１９】      １  貼り付けシート
２  貼り付けシート
３  線香
４  間隔
５  クリップ
６  貼り付けシート
７  貼り付けシート
８  貼り付けシート
９  スペーサー
１０  編み紐
１１  外側貼り付けシート
１２  内側貼り付けシート
１３  外側貼り付け長尺シート
１４  内側貼り付け長尺シート
１５  一体成型された墓参用線香
１６  スリット
【図１】
0003129557.tif 000003
【図２】
0003129557.tif 000004
【図３】
0003129557.tif 000005
【図４】
0003129557.tif 000006
【図５】
0003129557.tif 000007
【図６】
0003129557.tif 000008
【図７】
0003129557.tif 000009
【図８】
0003129557.tif 000010
【図９】
0003129557.tif 000011
【図１０】
0003129557.tif 000012
【図１１】
0003129557.tif 000013
【図１２】
0003129557.tif 000014
【図１３】
0003129557.tif 000015
【図１４】
0003129557.tif 000016
(57)【要約】      （修正有）【課題】スピーカーで「点音源」の理想を実現するために、中高音に加えて重低音もほぼ同じ場所から放射するとともに、ダクトやバッフル面に発生する共振を抑えて高品位な低温再生を実現する。【解決手段】二つのキャビネットを「入れ子」の構造に組み込み、その接続に当たりコーナーに間隙を設けることにより、コーナーに形成されたダクトがスピーカーユニットを包み込むように重低音を放射し、理想的な点音源再生を実現する。併せて、接続パーツが全体の補強材として働き、バッフルをはじめ全体の構造を極めて堅牢にすることと、小さめの変形ダクトの分散配置により、通常のダクトの共振問題を解決できる。【選択図】図１
0003129553.tif 000002
【実用新案登録請求の範囲】
【請求項１】
ダブルバスレフ型スピーカーにおいて、二つのキャビネットを「入れ子」の構造に配置し、その接続にあたって作為的に「間隙」を設けることにより、コーナーに複数のバスレフダクトを形成し、スピーカーユニットを包み込むように重低音を放射する仕組み。
【考案の詳細な説明】
【技術分野】
【０００１】  本考案は、スピーカーにおける高品位な音楽再生を目指して、ダブルバスレフ型のエンクロージャーの構造に新たな提案を行うものである。
【背景技術】
【０００２】  フルレンジ・スピーカー１機を搭載するシステムは、ほとんどが小型の密閉型かバスレフ型であり、前者は低音域の音圧レベルが低く、後者はバスレフダクトの位置がユニットから離れるため音源が分散し、音場感が劣っていた。
【考案の開示】
【考案が解決しようとする課題】
【０００３】  スピーカーで「点音源」の理想を実現するために、中高音に加えて重低音もほぼ同じ場所から放射するとともに、ダクトやバッフル面に発生する共振を抑えて高品位な低音再生を実現する。
【課題を解決するための手段】
【０００４】  二つのキャビネットを「入れ子」の構造に組み込み、その接続に当たりコーナーに間隙を設けることにより、コーナーに形成されたダクトがスピーカーユニットを包み込むように重低音を放射し、理想的な点音源再生を実現する。併せて、接続パーツが全体の補強材として働き、バッフルをはじめ筐体全体を極めて堅牢にすることと小型の変形ダクトの分散配置により、通常のダクトの共振問題を解決できる。
【考案の効果】
【０００５】  コンパクトなサイズで十分な低音再生を実現するとともに、低音から高音までを同じ場所から放射することにより「点音源」の理想を実現し、すぐれた音場感を提供することができる。
【図面の簡単な説明】
【０００６】
【図１】本考案の実施形態を示すスピーカーの正面図
【図２】同断面図
【図１】
0003129553.tif 000003
【図２】
0003129553.tif 000004
(57)【要約】      （修正有）【課題】垂直に形成された塗装面と塗装保護面との塗装保護面の隅に粘着テープを効率的に貼り付けることができる器具を提供する。【解決手段】この貼り付け器具１は、塗装作業時に於いて、塗装面５と塗装保護面６とが垂直に隣り合っている際、指掛け穴とテープロール保持部を構成した３と２上に形成した指掛け穴を用いて、貼付具１を確実に保持し、指掛け穴とテープロール保持部を構成した３に粘着テープを回転自在に保持させ、粘着テープを引き出し、粘着テープロール側面を塗装面５に押し当て、貼付け用押圧体４にて引き出した粘着テープ背面を保護面５に押し当てることで粘着テープを保護面５に、塗装面６との境界線の隅に貼り付けることが出来る。この貼付作業を粘着テープを任意の長さで引き出しながら連続的に繰り返すことで、長距離の貼付作業でも保護面５に、塗装面６との境界線の隅に効率的に貼り付けることができる。【選択図】図３
0003129589.tif 000002
【実用新案登録請求の範囲】
【請求項１】
二つの指掛け穴を構成した板状の基部の一方の板面上の一方の指掛け穴に粘着テープロールを回転自在に保持する粘着テープロール幅よりも薄い幅にて形成したテープロール保持部を構成し、このテープ保持部と平行上に隣り合って備えられた粘着テープと同幅の貼付け用押圧体とを有することを特徴とする粘着テープ貼り付け器具。
【考案の詳細な説明】
【技術分野】
【０００１】
本考案は、粘着テープの貼付具に関するものである。
【背景技術】
【０００２】
従来、塗装作業に於ける、窓枠など垂直の面同士で形成された一方の面を塗装するために、塗装しない一方の塗装保護面を粘着テープを用いて隅に貼り付け、塗装から保護することを必要とする。この作業に於いて、手作業で隅に少量ずつ貼り付け作業を行っている。
【考案の開示】
【考案が解決しようとする課題】
【０００３】
しかしながら、手のみで粘着テープを塗装保護面の隅に貼り付けるには、少量ずつ粘着テープを引き出し貼り付けるため効率が悪い。そこで、この考案は、垂直に形成された塗装面と塗装保護面との塗装保護面の隅に粘着テープを効率的に貼り付けることができる器具を提供することを課題とする。
【課題を解決するための手段】
【０００４】
以上の課題を解決するために、請求項１を特徴とする構成により解決する。二つの指掛け穴を形成した板状の基部の一方の板面上の一方の指掛け穴に粘着テープロールを回転自在に保持する粘着テープ幅よりも薄い幅にて形成したテープロール保持部を形成してあり、ここに粘着テープロールを保持させ、このテープ保持部と平行上に隣り合って備えられた粘着テープと同幅の貼付け用押圧体とが平行面となる。この平行面側を貼付対象面となる塗装保護面に垂直に形成された塗装面に押しつけ、圧着部にて粘着テープ背面を押し塗装保護面に貼り付けることで、塗装面に垂直に形成された塗装保護面に隙間なく粘着テープを貼り付けることができる。この貼り付け作業を粘着テープを任意の長さで引き出しながら連続的に繰り返す。
【考案の効果】
【０００５】
本考案の請求項１によれば、粘着テープを垂直に形成された塗装面と塗装保護面との塗装保護面の隅に粘着テープを効率的に貼り付けることができるようになったため、貼り付け作業を効率的にできるようになった。
【考案を実施するための最良の形態】
【０００６】
以下、本考案における好ましい実施例について、添付図面を参照しながら説明する。図１及び、図２及び、図３に於いて、１は全体として本考案による貼り付け器具を示し、この貼り付け器具１の持ち手部となるための二つの指掛け穴を形成した板状の基部２と、２上の指掛け穴の１つの片面に粘着テープロールを回転自在に保持する粘着テープ幅よりも薄い幅にて形成したテープロール保持部３と、２上に３が形成された片面の平行上に隣り合って備えられた粘着テープと同幅の貼付け用押圧体４とで構成されている。実際上、この貼り付け器具１は図３に示すとおり、塗装作業時に於いて、塗装面５と塗装保護面６とが垂直に隣り合っている際、指掛け穴とテープロール保持部を構成した３と２上に形成した指掛け穴を用いて、貼付具１を確実に保持し、指掛け穴とテープロール保持部を構成した３に粘着テープを回転自在に保持させ、粘着テープを引き出し、粘着テープロール側面を塗装面５に押し当て、貼付け用押圧体４にて引き出した粘着テープ背面を保護面５に押し当てることで粘着テープを保護面５に、塗装面６との境界線の隅に貼り付けることが出来る。この貼付作業を粘着テープを任意の長さで引き出しながら連続的に繰り返すことで、長距離の貼付作業でも保護面５に、塗装面６との境界線の隅に効率的に貼り付けることができる。
【０００７】
この考案は、以上のとおり構成されるのでつぎのとおりの効果を有する。
１．垂直に形成された塗装保護面と塗装面の塗装保護面の隅に粘着テープを効率的に貼り付けることが出来るようになった。
【実施例】
【０００８】
図４に示すとおり、二つの指掛け穴を形成した板状の基部２は任意の形態でも良い。
【図面の簡単な説明】
【０００９】
【図１】この考案の一実施形態を示す略線的斜視図である。
【図２】この考案の一実施形態を示す略線的側面図である。
【図３】この考案の使用状況を示す略線的側面図である。
【図４】他の実施形態を示す略線的斜視図である。
【符号の説明】
【００１０】
１  この考案による貼付具
２  二つの指掛け穴を形成した基部
３  テープロール保持部
４  圧着部
５  塗装面
６  塗装保護面
【図１】
0003129589.tif 000003
【図２】
0003129589.tif 000004
【図３】
0003129589.tif 000005
【図４】
0003129589.tif 000006
(57)【要約】      （修正有）【課題】家庭でも簡単安価に設置可能であり、ペットボトルや空き缶などの形のかさばるものを押しつぶして１枚板のようにして容量を小さくし収集、運搬を容易にし、リサイクルに役立たせる。【解決手段】ペールボックス内上方にペットボトル、空き缶などの投入口を設け、投入口下方に２本の星型ローラを一定間隙の対向状態に設けると共に、チェンを介してモーター駆動で回転させるものとなす。【選択図】図１
0003129578.tif 000002
【実用新案登録請求の範囲】
【請求項１】
ペールボックス内上方にペットボトル、空き缶などの投入口を設け、該投入口下方に２本の星型ローラを一定間隙の対向状態に設けると共に、チェンを介してモーター駆動で回転させるものとなしたことを特徴とするリサイクルボックス。
【請求項２】
上記投入口には開閉蓋が取付けてあり、開閉蓋を開けるとソレノイドバルブが働き、且つモーター駆動でペットボトルや空き缶がつぶれて板状になって下に落ちて溜まることを特徴とする請求項１記載のリサイクルボックス。
【考案の詳細な説明】
【技術分野】
【０００１】
本考案はペットボトル、空き缶などのリサイクルに関する考案である。
【背景技術】
【０００２】
従来はペットボトルや空き缶などはつぶさずにそのままの形で収集に出していたので量がかさばって手間が掛かっていた。また、つぶすための幾つかの提案装置があるが、構成が複雑で安価なものではない。
【特許文献１】実開平７−３８８９号
【考案の開示】
【考案が解決しようとする課題】
【０００３】
ペットボトルや空き缶などをつぶして体積を少なくして収集に出して、前述の欠点を解決した構造で安価な装置を市販に供しようとするものである。
【課題を解決するための手段】
【０００４】
本考案は、２本の星型ローラーをペールボックスに内上方取付け、投入口からペットボトルや空き缶を入れると「つぶれた１枚の板状」の形になって出てくる。その具体的構成は、ペールボックス内上方にペットボトル、空き缶などの投入口を設け、該投入口下方に２本の星型ローラを一定間隙の対向状態に設けると共に、チェンを介してモーター駆動で回転させるものとなす。このさい、上記投入口には開閉蓋が取付けてあり、開閉蓋を開けるとソレノイドバルブが働き、且つモーター駆動でペットボトルや空き缶がつぶれた板状になって下に落ちて溜まるのである。
【考案の効果】
【０００５】
ペットボトルや空き缶をつぶすことによって体積が減少して「ごみ集積場」も収納がしやすくなり、運搬にも便利になり資源リサイクルに協力することができる。本考案装置は構造が簡単で保安点検も容易であり、安価に製造可能である。
【考案を実施するための最良の形態】
【０００６】
ペールボックス内に２本の星型ローラー９，９を一定間隙の対向状態に取付け、モーター駆動７でチェン１１を介して回転させる。危険防止のため「安全装置」として投入口には使用しない時には（電源ＯＦＦ）蓋２をして、ストッパーを設けて開閉不可能にしてある。電源スイッチ５はプル型スイッチの２個を幼児の手の届かない高い所に取付けてある。８はチェン張り用のスプリング、１０は同チェン張り用のローラである。なお、３はソレノイドバルブであって、投入口開閉蓋２に隣接して設けてあり、該投入口開閉蓋２が開けられるとき、これと関連して作動するようになっている。１２は緊急時の逆転スイッチである。
【実施例１】
【０００７】
以下、添付図面に従って説明する。普通使用のときはスイッチ５を入れると３のソレノイドバルブが働きロックがはずれ２の投入口開閉蓋が使用可能な状態になり、駆動用モーター７が回る。而して、ペットボトルを開放された投入口から投入すると星型ローラー９，９の間隙によりペットボトルがつぶれて板状になって下に落ちて溜まる。
緊急のときはスイッチ１２を押すと駆動用のモーター７が逆回転してローラーに挟まった状態のものが取り出すことができる。
【図面の簡単な説明】
【０００８】
【図１】ペールボックス内部の部品配置の側面図である。
【符号の説明】
【０００９】
１      ペール本体
２      投入口開閉蓋
３      開閉蓋固定用ソレノイドバルブ
４      投入口
５      プル型スイッチ
６      ギアーボックス
７      駆動用モーター
８      チェン張り用スプリング
９      星型ローラー
１０    チェン張り用ローラー
１１    駆動用チェン
１２    緊急時の逆回転スイッチ
【図１】
0003129578.tif 000003
(57)【要約】【課題】  足のツボである三陰交を効果的に加温である靴下を提供すること。【解決手段】  靴下本体１の内側にカイロを入れるポケット２を設けた靴下であって、前記ポケット２は、これにカイロを入れて靴下を履いたとき、そのカイロが足のツボである三陰交の位置にくるように設けたを特徴とする靴下。【選択図】図１
0003129569.tif 000002
【実用新案登録請求の範囲】
【請求項１】
靴下本体の内側にカイロを入れるポケットを設けた靴下あって、前記ポケットは、これにカイロを入れて靴下を履いたとき、そのカイロが足のツボである三陰交の位置にくるように設けたことを特徴する靴下。
【考案の詳細な説明】
【背景技術】
【０００１】従来の靴下は、足を保温するだけである。足のツボの三陰交を効果的に加温できなかった。
【考案の開示】
【考案が解決しようとする課題】
【０００２】本考案は、このような従来の問題点を解決するためになされたもので、カイロを使って足のツボの三陰交を効果的に加温できる靴下を提供することを課題とする。
【課題を解決するための手段】
【０００３】本考案が上記課題を解決するために提供する靴下は、内側にカイロを入れるポケットを設けた靴下であって、前記ポケットはこれにカイロを入れて靴下を履いたとき、そのカイロが足のツボである三陰交の位置にくるように設けたことを特徴ものである。
【考案効果】
【０００４】上述のような構成としたので、履くことによって足のツボである三陰交を効果的に加温できる。
足は第二の心臓と言われるほど大切な体の一部である。この加温効果のある靴下を履いて、足のツボを加温すると、血流が良くなり、体の芯を温まり、気力が高められる。
【考案の実施するため最良形態】
【実施例】
【０００５】  以下、添付図面に従って一実施例を説明。
１は靴下本体である。２は靴下本体の内側に設けたカイロ３を入れるポケットある。このポケット２は靴下を履いたとき足のツボ三陰交の位置に来るように設けてある、その大きさ幅４ｃｍ、深さ２ｃｍである。足の三陰交は、ここを加温すると、血流が良くなり、気力が充実するし、冷えが改善され、頻尿の症状は緩和される。
【図面の簡単な説明】
【０００６】
【図１】  実施例の靴下の側面図である。
【符号の説明】
【０００７】１  靴下本体
２  ポケット
３  カイロ
【図１】
0003129569.tif 000003
(57)【要約】【課題】  角型ハンガーの挟み鎖のからみ合い引かかりを取り除く角型ハンガー収納ケースを提供する。【解決手段】  ハンガー収納ケースを設け側板と中板に５ｍｍの空間を設けることを特徴とする角型ハンガー収納ケース。【選択図】図１
0003129561.tif 000002
【実用新案登録請求の範囲】
【請求項１】
ハンガー収納ケースを設け、側板と中板に約５ｍｍの空間を設けることを特徴とする角型ハンガー収納ケース。
【考案の詳細な説明】
【技術分野】
【０００１】  本考案は、挟鎖のひっかかりからみ合を防止するための角型ハンガー収納ケースに関するものである。
【背景技術】
【０００２】  従来、角型のハンガー使用後は、物干竿に掛けて置くか邪魔にならない所に重ねて置いたものである。
【考案の開示】
【考案が解決しようとする課題】
【０００３】  そのため、次のような問題点があった。
角型ハンガーの周囲に鎖がついているので、それがからみあい使用するとき不便であった。
本考案は、以上の問題点を解決するためにされたものである。
【課題を解決するための手段】
【０００４】  ハンガー収納本体ケースを設け、この収納ケース本体の側板と中板に、空間を約５ｍｍ設ける。
以上を特徴とする角型ハンガー収納ケースである。
【考案の効果】
【０００５】  中板を設けることによって仕切の空間ができるので、ハンガーの挟み鎖の引かかり破損もなく効率的である。
【考案を実施するための最良の形態】
【０００６】  以下本考案の実施の形態を説明する
上方に開口部（７）をもち底板（５）と側板（４）と側板（３）からなる通常の長方形状の収納ケース（１）の短縁（８）（８）に等間隔に中板（２）を渡して開口部（７）を複数の部屋を設ける。
本考案は以上のような構造である。
本考案を使用する時は、中板（２）をつまんで押すと中板（２）は左右に大きく開く、その後角型ハンガーを入れる。【０００７】  また、図２に示すように、中板（２）に弾力性を付けるため側板（３）と中板（２）に空間（６）を約５ｍｍ設ける。
また、図３に示すように、中板（２）を左右に大きく開きハンガーを入れる。
【図面の簡単な説明】
【０００８】
【図１】  本考案の斜視図
【図２】  本考案の使用説明図
【図３】  本考案の使用説明図
【符号の説明】
【０００９】１  収納ケース本体
２  中板
３  側板
４  側板
５  底板
６  空間
７  開口部
８  短縁
【図１】
0003129561.tif 000003
【図２】
0003129561.tif 000004
【図３】
0003129561.tif 000005
(57)【要約】【目的】  従来、家庭の台所生ごみは殆ど三角コーナーなどに入れて、長時間放置して自然脱水していたが、それでも多くの水分が残っていた。これらの欠点を解決して簡単で安価な生ごみ水切り具を提供する。【構成】  上部が開口された硬質の断面が円形である筒状容器１の底面および側面下部に、水切り孔３を多数形成させると共に、該筒状容器１の高さよりも少なくとも指先にて把持できる程度の長さを有して上部が露出でき、上記筒状容器１の内周に摺動して嵌脱できる断面が円形の柱状内接押圧体２を以って、上記筒状容器１内に収容された生ごみを押圧して水切りをする生ごみ水切り具。【選択図】図１
0003129570.tif 000002
【実用新案登録請求の範囲】
【請求項１】
上部が開口された硬質の断面が円形である筒状容器（１）の底面および側面下部に、水切り孔（３）を多数形成させると共に、該筒状容器（１）の高さよりも少なくとも指先にて把持できる程度の長さを有して上部が露出でき、かつ、上記筒状容器（１）の内周に摺動して嵌脱できる断面が円形の柱状内接押圧体（２）を以って、上記筒状容器（１）内に収容された生ごみを押圧して水切りをする生ごみ水切り具。
【請求項２】
筒状容器（１）の底面外側に、足部（４）を数個、設けて上げ底とした請求項１記載の生ごみ水切り具。
【考案の詳細な説明】
【技術分野】
【０００１】  この考案は、主として台所のシンク内で用いる生ごみの水切りに関するものである。
【背景技術】
【０００２】  従来は、生ごみの水切りとしては、三角コーナー容器に生ごみを入れて、長時間放置して自然脱水していた。そこで、短時間に水切りができるように、強制的に手動で水切りを行う方法として、例えば水切り容器の断面形状と、その内径に合致した盤体の中心に、手動で押し下げるための直立した棒体のある丁度ピストンのような押圧具を用いたものが提供されている。【０００３】  更に、先行技術文献では、比較的この考案に近いものとして次のものがある。
【特許文献１】  特許公開２００２−１６７８３１
【特許文献２】  特許公開２００１−４０７２８
【考案の開示】
【考案が解決しようとする課題】
【０００４】  しかしながら、上記特許文献１は構造的に軟らかい素材で出来た三角コーナーの一部を、流しの壁に手で押し付けて水切りするものであり、水が逆流して十分な効果が得られない。
特許文献２においても、生ごみの上に載せた重石により自然脱水させるものであり、時間がかかる上に水分も十分に除去できない。【０００５】  この考案は、以上の諸欠点を解決して、短時間に確実に水切りを行い得て、しかも構造が簡単で安価な生ごみの水きり具を提供しようとするものである。
【課題を解決するための手段】
【０００６】  この考案を図面に基づき説明すると、図１に示すように、断面が円形である筒状容器１の底面及び側面下部に水切り孔３を多数形成させ、該筒状容器１の高さより指先にて把持できる長さを有し、かつ、上記筒状容器１の内周に摺動して嵌脱できる断面が円形の柱状内接押圧体２を以って、筒状容器１内に収容された生ごみを押圧して水切りをするものとした。
【考案の効果】
【０００７】  この考案は、筒状容器１と柱状内接押圧体２の断面を円形とし、その摺動面を出来るだけ蜜にすることによって、水鉄砲のように水分を追い出すし、しかも、従来のようにピストンのような細い棒体の押圧体でなく、柱状内接押圧体２が全長に渡って同径だから、押圧中に先端押圧面の押される方向は曲がることなく、筒状容器１の内周に沿い真っ直ぐに生ごみを押圧するから、水分の逆流が確実に防げ、水切り効果が飛躍的にあがるのである。
しかも、筒状容器１と柱状内接押圧体２の両方の断面が円だから、柱状内接押圧体２を押し込み際に、三角の場合のような周方向に留意することなく押し込むことができる。
【考案を実施するための最良の形態】
【０００８】  基本的には図１に示したように、筒状容器１の底面および側面下部に水切り孔３を多数形成させ、その内周に摺動して嵌脱できる柱状内接押圧体２を以って、筒状容器１内に収容された生ごみを押圧して水切りをすることが最良の形態といえる。【０００９】  そして、筒状容器１の底面外側に足部４を数個、設けて上げ底として底面からの水分の流出をスムースにした。
【実施例】
【００１０】  以下に、この考案の実施例を図面に基づいて説明する。試作としては図１に示すように、筒状容器１は直径１２ｃｍ位、長さ１５ｃｍの円筒プラスチック容器を用い、柱状内接押圧体２は、やはり同じ円筒プラスチック容器で一回り小さい物を使用した。
なお、柱状内接押圧体２を、その内部が中空のものであるとしても構わない。【００１１】  水切り孔３は筒状容器１の底面および側面下部にキリ孔を適当数形成した。更に、足部４としては容器の蓋を利用して、その縁部に切れ込みを数箇所設けて、筒状容器１の底面に上げ底となるように接着した。尚、水切り孔３のキリ孔加工は容器の蓋接着後に行うことは言うまでもなかろう。
【図面の簡単な説明】
【００１２】
【図１】この考案の実施例を示す斜視図である。
【符号の説明】
【００１３】  １  筒状容器
２  柱状内接押圧体
３  水切り孔
４  足部
【図１】
0003129570.tif 000003
(57)【要約】【課題】  手が凍える最たる部分は指先であることを考えると、従来の使い捨てカイロ収納用のミトン型手袋は手首から指先までを覆うため保温範囲が広く主に手の平に温熱が集中しやすく指先が温まりにくい事から、指先だけを短時間に集中的に温めるミトン型手袋を提供することを課題とする。【解決手段】手の平と親指を含まない４指は特別に血流が行き届かない部分である。そこで４指だけを覆うカバーに使い捨てカイロ収納部を設け開口部を伸縮部材で収縮させ４指の指先だけを温める事を目的とするミトン型手袋とする。更に手の平と親指を解放することで従来のミトン型手袋より手の作業性を高めようとする。【選択図】図１
0003129566.tif 000002
【実用新案登録請求の範囲】
【請求項１】
ミトン型手袋において手の平と親指を除くところの人差し指、中指、薬指小指の４指を収容し、本体内部に使い捨てカイロ収納部を設け、開口部に伸縮部材を用いて素手のみならず通常の５本指手袋の４指部保温カバー、足のつま先保温カバーともなり得るミトン型手袋
【考案の詳細な説明】
【技術分野】
【０００１】  本考案の技術分野は手袋に属する
【背景技術】
【０００２】  本考案の属する技術分野の手袋で防寒保温用としてのミトン型手袋の背景技術は袋状で親指挿入部と４指挿入部の２部に分けて構成され手全体を覆うものがある。
【考案の開示】
【考案が解決しようとする課題】
【０００３】しかしながら、手が凍える最たる部分は指先であることを考えると、従来の使い捨てカイロ収納用のミトン型手袋は手首から指先までを覆うため、保温範囲が広く主に手の平に温熱が集中しやすいという欠点があった。
【課題を解決するための手段】
【０００４】手の平と親指を含まない４指は特別に血流が行き届かない部分である。そこで４指だけを覆うカバーに使い捨てカイロ収納部を設けて４指の指先だけを集中的に暖める事を目的とするミトン型手袋を提供する。更に手の平と親指を解放することで従来のミトン型手袋より手の作業性を高めようとする。
【考案を実施するための最良の形態】
【０００５】以下、この考案の実施の形態を図面を参照して説明する【０００６】図１ー２に示すように４指だけ挿入するミトン型手袋の内部に使い捨てカイロ用の収納部を設ける。使い捨てカイロは開口部から出し入れする。【０００７】図１−３に示すようにミトン型手袋の開口部は伸縮素材を用いる事によって、使用時は手の平に密着させ、非使用時は温熱拡散防止のために収縮する状態にする。
【考案の効果】
【０００８】本考案に係るミトン型手袋は、使い捨てカイロ収納部付き指先専用ミトン型手袋としたことで、冬季の屋内外におけるスポーツや作業、自転車やバイク走行後等あらゆる場面で最も凍えた指先を短時間で集中的に温める効果を発揮し、手の平と親指を覆わないことで作業性を高め、更に従来の５本指手袋における４指部の保温カバーともなり、足のつま先部保温用ともなり得る。
【図面の簡単な説明】
【０００９】
【図１】本件考案の指先用ミトン型手袋の概略図
【図２】装着図
【符号の説明】
【０００１０】  １，ミトン袋部
２，使い捨てカイロ収納部
３，開口部
【図１】
0003129566.tif 000003
【図２】
0003129566.tif 000004
(57)【要約】      （修正有）【課題】一度の剥がし作業で、複数枚の控えラベルを得る。【解決手段】ボールペン及び硬筆なフェルトペン等で記載可能な宛名ラベルとしての基材の上部にある複数枚の控えラベルを、ずらしながら貼付する。【選択図】図１
0003129563.tif 000002
【実用新案登録請求の範囲】
【請求項１】
ボールペン及び硬筆なフェルトペン等で記載可能な宛名ラベルとしての基材の上部にある複数枚の裏面にカーボン等を塗布した控えラベルを、ずらしながら貼付することを特徴とする宛名ラベルである。
【考案の詳細な説明】
【技術分野】
【０００１】本考案は、ラベルの控え数枚を、一回で剥がせる宛名ラベルに関する。
【背景技術】
【０００２】宛名ラベルは、その控えを客・代行業者・元受け業者などに、分けて保存するが従来のラベルは、糊で固定した部分が各々のラベルの隅部にあった。
【考案の開示】
【考案が解決しようとする課題】
【０００３】そのため、一度剥がしても数枚が付いた状態で存在した。
【考案を解決するための手段】
【０００４】ラベルの控え数枚を、一回で剥がせるようにするため、従来のように糊で固定する部分を隅に固定せず、枚数に応じて順次ずらして固定するものである。
【考案の効果】
【０００５】本考案の宛名ラベルは、前述の通り構成してあるため、一回で数枚のラベル控えを、一枚ずつ剥離可能となる。
【考案を実施するための最良の形態】
【０００６】最上ラベル裏面の一端を糊で、基材ラベル表面の一端に固定する。その間に数枚のラベルを、糊での固定部に重ならぬよう順次ずらして貼るのが、最良の形態である。
【実施例】
【０００７】以下、本考案の実施例を図面により説明する。
図１は、本考案の一実施例を図示する斜視図、図２は、図１の断面図である。【０００８】図１及び図２の通り、カーボンを塗布した控えのラベルを糊の固定部に重ならぬように順次張る。
【産業上の利用可能性】
【０００９】郵便小包ラベル及び各種宅配便ラベルは、もとより同一文言を記入したラベルを数枚一度で、剥離可能となり手間隙の大幅な削減となる。
【図面の簡単な説明】
【００１０】
【図１】本考案、宛名ラベルの一例を示す斜視図である。ラベルの厚みは、強調。
【図２】図１の長い方向よりの断面図である。ラベルの厚みは、強調。
【符号の説明】
【００１１】  １  控えラベル
２  控えラベル
３  控えラベル
４  基材
５  糊固定部
【図１】
0003129563.tif 000003
【図２】
0003129563.tif 000004
(57)【要約】      （修正有）【課題】肩掛けベルトの任意の位置に取付固定できる。【解決手段】腕時計の左右両側に設けたベルト取付ピン間に、布または軟質合成樹脂等からなる張設ベルトがその左右のフープ状の端部に取付ピンを通して緊張状態に取り付けられ、その張設ベルトと腕時計の間を通して表裏両面に互いに剥離可能に結合し合うフックあるいはループ等の毛状結合素子を持った帯状の面ファスナーからなる取付ベルトが取り付けられ、前記張設ベルトの表面中央には表面または表裏両面が粘着性を有する粘着片が取り付けられている腕時計。【選択図】図１
0003129549.tif 000002
【実用新案登録請求の範囲】
【請求項１】
腕時計の左右両側に設けたベルト取付ピン間に、布または軟質合成樹脂等からなる張設ベルトがその左右のフープ状の端部に取付ピンを通して緊張状態に取り付けられ、その張設ベルトと腕時計の間を通して表裏両面に互いに剥離可能に結合し合うフックあるいはループ等の毛状結合素子を持った帯状の面ファスナーからなる取付ベルトが取り付けられ、前記張設ベルトの表面中央には表面または表裏両面が粘着性を有する粘着片が取り付けられている腕時計。
【考案の詳細な説明】
【技術分野】
【０００１】  本考案は、ショルダーバッグの肩掛けベルトに取り付けるための腕時計、主として１００円ショップなどで販売されているアクセサリーとして使われている使い捨て腕時計に関するものである。
【背景技術】
【０００２】  従来、腕時計はその名の通り人の腕に皮や金属などの各種のベルトで装着している。
【考案の開示】
【考案が解決しようとする課題】
【０００３】
【０００４】  従来の腕時計で金具で左右のベルトを締結するタイプのものでは、ショルダーバッグの肩掛けベルトに左右のベルトを巻き付けて金具で締結することはできるが、このままでは腕時計が肩掛けベルトに沿って容易に移動してしまうので、肩掛けベルトの任意の位置に取付固定できない。【０００５】  ショルダーバッグの肩掛けベルトに腕時計を取り付けることができると、ショルダーバッグを肩に掛けたときにその肩掛けベルトに取り付けた腕時計が胸部分の正面側に目立ってアクセサリーとして使用できる。
【課題を解決するための手段】
【０００６】  本考案は、面ファスナーからなるベルトとその表面に取り付けた粘着片により、ショルダーバッグの肩掛けベルトに簡単に取付け固定できるようにした腕時計を提供することを最も主要な特徴とする。
【考案の効果】
【０００７】  腕時計を、張設ベルトの表面の粘着片でショルダーバッグの肩掛けベルトの任意の位置にアクセサリーとして簡単に取付け固定することができ、取り外しも簡単である。
【考案を実施するための最良の形態】
【０００８】  腕時計の左右両側に設けたベルト取付ピン間に、布または軟質合成樹脂等からなる張設ベルトがその左右のフープ状の端部に取付ピンを通して緊張状態に取り付けられ、その張設ベルトと腕時計の間を通して表裏両面に互いに剥離可能に結合し合うフックあるいはループ等の毛状結合素子を持った帯状の面ファスナーからなる取付ベルトが取り付けられ、前記張設ベルトの表面中央には表面または表裏両面が粘着性を有する粘着片が取り付けられている腕時計。
【実施例１】
【０００９】  図１〜図３において、腕時計１はその左右両側に設けたベルト取付ピン２，２間に、布または軟質合成樹脂等からなる張設ベルト３がその左右のフープ状の端部に取付ピン２を通して緊張状態に取り付けられ、その張設ベルト３と腕時計１の間を通して取付ベルト４が取り付けられている。【００１０】  取付ベルト４は、表裏両面に互いに剥離可能に結合し合うフックあるいはループ等の毛状結合素子を持った帯状の面ファスナーで作られている
張設ベルト３の表面中央には表面または表裏両面が粘着性を有する粘着片５が取り付けられている。【００１１】  ショルダーバッグの肩掛けベルト６に腕時計１を取り付ける場合には、図１に示すように取付ベルト４を左右に拡げた状態で、肩掛けベルト６を粘着片５に押し当て、次いで図２および図３に示すように取付ベルト４の左右端部を肩掛けベルト６を包むように折り曲げて、互いに重ね合わせて接着する。
【産業上の利用可能性】
【００１２】  腕時計の取付範囲が広がり、その需要拡大が見込まれる。
【図面の簡単な説明】
【００１３】
【図１】この考案に係る腕時計を示す背面図である。
【図２】この考案に係る腕時計をショルダーバッグの肩掛けベルトに取り付けた状態を示す背面図である。
【図３】この考案に係る腕時計をショルダーバッグの肩掛けベルトに取り付けた状態を示す横断平面図である。
【図４】この考案に係る腕時計の使用状態を示す正面図である。
【符号の説明】
【００１４】  １    腕時計
２    ベルト取付ピン
３    張設ベルト
４    取付ベルト
５    粘着片
６    肩掛けベルト
【図１】
0003129549.tif 000003
【図２】
0003129549.tif 000004
【図３】
0003129549.tif 000005
【図４】
0003129549.tif 000006
(57)【要約】【課題】小学生の誘拐を防止する事【解決手段】ランドセルに発煙筒を取り付け紺を引く事により燐寸がすれて発煙筒に発火して煙を出す事が出来る【選択図】図１
0003129546.tif 000002
【実用新案登録請求の範囲】
【請求項１】
ランドセルに発煙筒を取り付け紺を引くことにより煙を出す事を目的とした発煙筒付ランドセルとした。
【考案の詳細な説明】
【技術分野】
【０００１】ランドセルに発煙筒を取り付け非常時に煙が出るようにする
【背景技術】
【０００２】紺を引く事により発煙筒に発火して煙が出るようにした。
【考案の開示】
【考案が解決しようとする課題】
【０００３】小学生の登校、下校の際に誘拐される事を防ぐ為、
【課題が解決する為の手段】
【０００４】ランドセルから煙が出る事により、車の誘拐に関しては車内が煙で充満して運転出来なくなり又ランドセルを廃棄した時は他人の目につきやすい為、
【考案の効課】
【０００５】小学生の誘拐を防止する
【考案の実施するための最良の形能】
【０００６】ランドセルの横の袋に発煙筒を組込む形
【実施例】
【０００７】ランドセルの横の袋に発煙筒を組込み紺を引き燐寸がすれることにより発火するようにした。
【図面の簡単な説明】
【０００８】
【図１】発煙筒を組込んだランドセルの全体図
【符号の説明】
【０００９】１．ランドセル全体図
２．発煙筒収納場所
３．発煙筒
４．発火スイッチ
５．発火甲紺
６．燐寸
【図１】
0003129546.tif 000003
(57)【要約】      （修正有）【課題】着脱したスリッパを次に使用する者の不潔感をなくし、スリッパ自体を汚さずに快適に使用できる汚れ防止用スリッパシートの提供。【解決手段】スリッパを重ねてしまうときに２つのスリッパの間に挟む紙製のシ−トであって、前部は半円形であり、後部は縦長に続き後端部は円弧状になって平面全体はキノコ形状をなし、後部には、つり下げ用の穴６を設け、前部半円形周縁部は糊づけされた２枚重ねであり、半円直線部は下紙と上紙が剥離でき、当該隙間に上に重なるスリッパの甲履部分が挿入できる。【選択図】図１
0003129550.tif 000002
【実用新案登録請求の範囲】
【請求項１】
スリッパを重ねてしまうときに２つのスリッパの間に挟む紙製のシ−トであって、前部は半円形であり、後部は縦長に続き後端部は円弧状になって平面全体はキノコ形状をなし、後部には、つり下げ用の穴を設け、前部半円形周縁部は糊づけされた２枚重ねであり、半円直線部は下紙と上紙が剥離でき、当該隙間に上に重なるスリッパの甲履部分が挿入てきるようになっていることを特徴とする汚れ防止用スリッパシ−ト。
【考案の詳細な説明】
【技術分野】
【０００１】  全体は紙製であって、紙は２枚で構成されている。まず一枚で足を乗せるところの本体台紙１の形をとるにあたり、つま先甲履部分は、２ａを引き上げる横のマチ分３を左右に張り出し、キノコ状の台形にして、もう一枚は、本体台紙２の部分と同形のものをとり、これを２ａとしこの二枚の円形の縁部を糊付け５にして、キノコ状のスリッパ型に仕上げてあるので、スリッパに装着するとマチ分が浮き上がり、どんな型のスリッパにもずれることなくつま先奥までシ−トが届くように形成され工夫されているのが特徴。構成も簡素化されている。
【技術背景】
【０００２】  とかく集会場、医院、旅館や家庭にしてもよく見かけるスリッパの片づけ方を見ると、何度も履き終えて汚れたスリッパが、一足（２つ）ごとに甲覆部が重ねられ場所をとらないようにと、大きな備え付けのダンボ−ルなどの中に放り込まれて片づけられている。
甲履部を重ね合わせることにより、汚れが表面に直接触れてとても不潔感を覚え、次にそのスリッパを心地よく使用する気になれない。
【考案が解決しようとする課題】
【０００３】  この不潔感・不快感を解消する為に、スリッパの着脱時の片づけ方にひと工夫して、次に履く時、いかに不潔感なく快適に使用することができるかを生み出し着脱時に本考案の汚れ防止用スリッパシ−トを使用することにより解消される。
【課題を解決するための手段】
【０００４】  一足（２つ）のスリッパを甲覆部を重ね合わせて片づける時、片方の汚れたスリッパの裏面を本考案の汚れ防止用スリッパシ−トで覆いかぶせるようにして汚れを断ち、もう一方のスリッパをその上から重ね合わせてセットして片づける。
セットされたスリッパを再び使用する時は、スリッパとスリッパの間に挟み込んだ本考案の汚れ防止用スリッパシ−トは、取り除いて使い捨てる。
【考案の効果】
【０００５】  一般に考えるスリッパの中敷・下敷をスリッパに敷いて歩くとアッという間にちぎれたり、抜けたりしてその場所を散らかしてしまうことになりかねない。
そこで本考案の主張したいことは、あくまでもスリッパの上に敷いて使用するシ−トではなく、スリッパそのものを汚さないように着脱時の片づけ方に工夫されてて、本考案の汚れ防止用スリッパシ−トを使用すれば、２つのスリッパを重ね合わせても、裏底の汚れが直に触れることなく見た目にも清潔感があり不快感が解消できる。
【考案の実施するための最良の形態】
【０００６】  本考案汚れ防止用スリッパシ−トは、つま先甲覆部を変形キノコ状に成形したことでスリッパに装着する時、、横のマチ部分が浮上して、どんな型のスリッパでも適用できるようになっているのが特徴である。
甲覆部の奥行４は、標準スリッパの甲覆部分の半分もあれば充分である。
このように甲覆部分があることで挿入時、ずれることなくつま先奥までシ−トが届くように形成されている。
この清潔感もたらす手法は、他のスリッパシ−トと全く異なった逆の発想で生み出したことに意義がある。
【実施例】
【０００７】  本考案汚れ防止用スリッパシ−トの本体台紙の踵部分に小さな穴６をあけ、フックや紐などを通して束ねて、スリッパの備えてある場所に設置しておき、履き終えたスリッパに挟み込んで片づける。
【図面の簡単な説明】
【０００８】
【図１】本体台紙部分
【図２】つま先甲覆部分
【図３】側面図
【図４】使用状態図
【符号の説明】
【０００９】  １  本体ふみ面
２  つま先ふみ面
２ａつま先甲覆部分
３  マチ分（２ｃｍぐらい）
４  つま先奥行き（５ｃｍぐらい）
５  糊付け
６  穴
【図１】
0003129550.tif 000003
【図２】
0003129550.tif 000004
【図３】
0003129550.tif 000005
【図４】
0003129550.tif 000006
(57)【要約】      （修正有）【課題】透析時には、パジャマの袖をまくりあげる為だんごになり、血液の循環が悪くなる。場合によると、腕にしびれを生じることも少なくない。また、針を刺す時にする駆血バンドを装着しにくい。また、透析終了時も止血バンドを装着するため袖を下ろすのも困難でパジャマが脱ぎにくい。介護パジャマは、ホックを使用した物が多く、人工透析を行う者が使用する際、透析開始時は良いが透析終了時には腕に痛みが残るため、ホックを留めるのには難があり、また、片方の手だけでは留めにくい。また、介護を必要とする人の場合では看護士の作業もスムーズには行えにくい。【解決手段】パジャマの肩口より袖口にファスナーを取り付ける事によって、人工透析を行う者、及び介護を必要とする者、同時に看護士の作業の軽減を計るパジャマ。【選択図】図２
0003129515.tif 000002
【実用新案登録請求の範囲】
【請求項１】
パジャマの袖口に左右及び両方にファスナーの止製品を上方の肩口から取り付け、人工透析を行う者及び介護を必要とする者、同時に看護士の作業の軽減を計るパジャマ。
【考案の詳細な説明】
【技術分野】
【０００１】この請求は人工透祈を快適かつ、スムーズに行う為、図５の様に袖にファスナーを取り付けたパジャマである。
【背景技術】
【０００２】人工透析に特科した物は見当たらない。
【考案の開示】
【０００３】介護パジャマなどがあるが、ファスナーではなく図１−▲１▼に示すホックで留める為、透析開始時は良いが透析終了時は腕に痛みが残る為、ホックを留めるのには難があり、片方の手だけでは留めにくい。
【考案が解決しようとする課題】
【０００４】上記に述べた様にホックでは留めにくいだけではなく介護を必要とする人の場合では看護士の手を必要とする事になる。
【０００５】透析時には、パジャマの袖をまくりあげる為だんごになり、血液の循環が悪くなる。場合によると、腕にしびれを生じることも少なくない。また、針を刺す時にする駆血バンドを装着しにくい。又、透析終了後も止血バンドをするので袖を下ろすのも困難でパジャマが脱ぎにくい。
【課題を解決する為の手段】
【０００６】人工透析患者用に肩口より袖口に取り付けたファスナー付きパジャマを提供する。
【考案の効果】
【０００７】人工透析には多くの課題があり、透析時に上腕部に針を刺す時に袖がダンゴになっていないので駆血バンドが簡単に装着できるので、看護士の作業もスムーズにでき、患者の腕の駆血も早くでき、結果、時間の短縮にもつながる。透析終了後も同じく、止血バンドを簡単に装着することが出来、それに、このパジャマは透析患者が個人のみで袖を閉じることが出来る。
【考案を実施する為の最良の形態】
【０００８】人工透析時のいろいろな課題点を克服する為にパジャマにファスナーを取り付ける。
又、ファスナーは金属ファスナーの様な硬く冷たいものではなく、柔らかい樹脂ファスナーを使用する。樹脂ファスナーは閉めた状態でも全く違和感がない。
【０００９】ファスナーは図２−▲２▼の部分に取り付け、チャックの上げ下げを片手で簡単に出来る様にしてある。
【００１０】ファスナーは図３−▲４▼の部分を袖の肩口の上部より図４の様に取り付ける。  図４はファスナー取り付け時の開口状態を示す。
【００１１】ファスナーを止製品の下止を肩口上部より袖口へと取り付ける事で、ファスナーのエレメントを閉じる時、上止をスライダー胴体に差し入れる作業がいらなくなり、スムーズにファスナーを上から下へ下ろす事ができる。図６はファスナー閉口時の図である。
【実施例】
【００１２】人工透析の目的は血液の精製処置と基準体重コントロールの為の除水にあり、透析前に正確な体重を量り、いくら除水するか計算をする必要があり、その為にはパジャマの重量も把握しておかなければならない。しかし、透析患者にとってパジャマの重量管理は大変わずらわしい作業であると同時に介護を必要とする患者にとっては大変困難な事である。しかし、このパジャマは図２−▲３▼の様に襟の下のずりの部分にパジャマの上下の総重量を明記しており、その状態を図７に示す。
【産業上の利用可能性】
【００１３】人工透析を受ける患者は勿論の事であるが、図５の様にファスナーを閉めた状態で図３−Ｃ部が金属製の様にすぐに分かる事のないプラスチック製でパジャマに合わせた色の選べるコンシールを使用しているので、普通のパジャマとほとんど見分けが付かず、点滴や血液検査時の採血及び血圧の測定など入院時の普通のパジャマとして使用しても問題はない。図５にその状態を示す。
【図面の簡単な説明】
【００１４】
【図１】ホック取り付け状態の図面である。
【図２】ファスナー及びズリの取り付け位置の図面である。
【図３】ファスナーの止製品である。
【図３−１】スライダー部の図である。
【図４】ファスナー開口状態図である。
【図５】ファスナーを閉めた状態での取り付け図である。
【図６】ファスナー袖口閉口時の図である。
【符号の説明】
【００１５】  １  ホック
２  ファスナー
３  ズリ
４  ファスナー下止
ａ  上止
ｂ  スライダー
ｃ  エレメント
ｄ  胴体
ｅ  テープ
ｆ  引手
ｇ  柱
【図１】
0003129515.tif 000003
【図２】
0003129515.tif 000004
【図３】
0003129515.tif 000005
【図３−１】
0003129515.tif 000006
【図４】
0003129515.tif 000007
【図５】
0003129515.tif 000008
【図６】
0003129515.tif 000009